(57)【要約】  生理活性物質（薬物）の経皮投与時に簡易な操作で皮膚（角質層）を穿孔することができるマイクロニードル付き経皮薬物投与装置を提供する。  本マイクロニードル付き経皮薬物投与装置は、皮膚を穿孔可能な複数のマイクロニードル（５１）および複数の溶液通路（５２）を有するマイクロニードルデバイス（５０）と、マイクロニードルデバイス（５０）上に配置され乾燥薬物（１０）を含有するとともに液体を吸収できる材料で構成された吸収材（１１）と、吸収材（１１）上に配置され薬物（１０）を溶解する溶解液（１６）を収納し押圧により吸収材（１１）との間に設けられた隔膜（２０）を破壊可能な溶解液溜め（１８）とを備える。溶解液溜め（１８）を押圧することにより、隔膜（２０）が破壊されるとともにマイクロニードル（５１）が皮膚（角質層）を穿孔し、これにより溶解液（１６）で溶解された薬物（１０）がマイクロニードルデバイス（５０）を介して皮膚に伝達される。【特許請求の範囲】
【請求項１】
皮膚を穿孔可能な複数のマイクロニードルおよび少なくとも１つの溶液通路を有するマイクロニードル基板を備えたマイクロニードルデバイスと、前記マイクロニードルデバイス上に配置されたパッド部と、前記パッド部上に配置され薬物溶解用の溶解液を収納した溶解液溜めとを備え、前記パッド部またはマイクロニードルデバイスに乾燥薬物を配置し、前記溶解液溜めの押圧により、前記溶解液溜めが開封され前記溶解液が前記パッド部へ供給されるとともに前記マイクロニードルが皮膚の角質層を穿孔し、これにより前記溶解液で溶解された前記薬物が経皮吸収されるようにしたことを特徴とするマイクロニードル付き経皮薬物投与装置。
【請求項２】
外部から電気的エネルギーを供給するための電極を前記パッド部上に備えたことを特徴とする請求項１記載のマイクロニードル付き経皮薬物投与装置。
【請求項３】
外部から音波振動エネルギーを供給するための音波振動子を前記パッド部上に備えたことを特徴とする請求項１または２記載のマイクロニードル付き経皮薬物投与装置。
【請求項４】
前記マイクロニードルデバイスが、前記マイクロニードル基板上に少なくとも１つの溶液通路を有する板状補強材を備えたことを特徴とする請求項１〜３のいずれかに記載のマイクロニードル付き経皮薬物投与装置。
【請求項５】
前記パッド部が、前記乾燥薬物を含有する薬物保持材と、前記溶解液を吸収する吸収材とを備えたことを特徴とする請求項１〜４のいずれかに記載のマイクロニードル付き経皮薬物投与装置。
【請求項６】
皮膚を穿孔可能な複数のマイクロニードルおよび少なくとも１つの溶液通路を有するマイクロニードル基板を備えたマイクロニードルデバイスと、前記マイクロニードルデバイス上に配置され乾燥薬物を含有するとともに液体を吸収できる材料で構成された吸収材と、前記吸収材上に配置され前記薬物を溶解する溶解液を収納し押圧により前記吸収材との間に設けられた隔膜を破壊可能な溶解液溜めとを備えたことを特徴とするマイクロニードル付き経皮薬物投与装置。
【請求項７】
皮膚を穿孔可能な複数のマイクロニードルおよび少なくとも１つの溶液通路を有するマイクロニードル基板を備えたマイクロニードルデバイスと、前記マイクロニードルデバイス上に配置され乾燥薬物を含有する薬物保持材と、前記薬物保持材上に配置され液体を吸収できる材料で構成された吸収材と、前記吸収材上に配置され前記薬物を溶解する溶解液を収納し押圧により前記吸収材との間に設けられた隔膜を破壊可能な溶解液溜めとを備えたことを特徴とするマイクロニードル付き経皮薬物投与装置。
【請求項８】
外部から電気的エネルギーを供給するための電極を前記吸収材上に備えたことを特徴とする請求項６または７記載のマイクロニードル付き経皮薬物投与装置。
【請求項９】
外部から音波振動エネルギーを供給するための音波振動子を前記吸収材上に備えたことを特徴とする請求項６または７記載のマイクロニードル付き経皮薬物投与装置。
【請求項１０】
前記複数のマイクロニードルがその長手方向に前記薬物を伝達可能な中空通路を有し、前記マイクロニードルの中空通路と前記マイクロニードル基板の溶液通路が連結されていることを特徴とする請求項９記載のマイクロニードル付き経皮薬物投与装置。
【請求項１１】
前記マイクロニードルデバイスの外側に皮膚を伸長するための皮膚固定部を備えたことを特徴とする請求項６〜１０のいずれかに記載のマイクロニードル付き経皮薬物投与装置。
【請求項１２】
皮膚を穿孔可能な複数のマイクロニードルを有するマイクロニードル基板を備えたマイクロニードルデバイスと、前記マイクロニードルデバイス上に配置され薬物溶解用の溶解液を収納した溶解液溜めとを備え、前記マイクロニードルデバイスに乾燥薬物を配置し、前記溶解液溜めの押圧により、前記溶解液溜めが開封され前記溶解液が前記マイクロニードルデバイスへ供給されるとともに前記マイクロニードルが皮膚の角質層を穿孔し、これにより前記溶解液で溶解された前記薬物が経皮吸収されるようにしたことを特徴とするマイクロニードル付き経皮薬物投与装置。
【請求項１３】
前記溶解液が、前記マイクロニードル基板に形成された少なくとも１つの溶液通路を介して前記マイクロニードルに供給されることを特徴とする請求項１２記載のマイクロニードル付き経皮薬物投与装置。
【請求項１４】
前記溶解液が、前記マイクロニードル基板の周りから前記マイクロニードルに供給されることを特徴とする請求項１２記載のマイクロニードル付き経皮薬物投与装置。
【請求項１５】
前記マイクロニードルデバイスと前記溶解液溜めの間であって、少なくとも前記溶解液溜めが開封される部分に、液体を吸収できる材料で構成された吸収材が設けられることを特徴とする請求項１２〜１４のいずれかに記載のマイクロニードル付き経皮薬物投与装置。
【請求項１６】
皮膚を穿孔可能な複数のマイクロニードルを有するマイクロニードルデバイスと、前記マイクロニードルデバイス上に配置されたパッド部と、前記パッド部上に配置され薬物溶解用の溶解液を収納した溶解液溜めと、前記パッド部またはマイクロニードルデバイスに配置された薬物とを備えた装置を皮膚に当て、前記溶解液溜めの押圧により、前記溶解液溜めを開封して前記溶解液を前記パッド部へ供給するとともに前記マイクロニードルを皮膚の角質層に穿孔し、これにより前記溶解液で溶解された前記薬物を前記マイクロニードルを介して経皮投与することを特徴とする経皮薬物投与方法。
【請求項１７】
皮膚を穿孔可能な複数のマイクロニードルを有するマイクロニードルデバイスと、前記マイクロニードルデバイス上に配置され薬物溶解用の溶解液を収納した溶解液溜めと、前記マイクロニードルデバイスに配置された薬物とを備えた装置を皮膚に当て、前記溶解液溜めの押圧により、前記溶解液溜めを開封して前記溶解液を前記マイクロニードルへ供給するとともに前記マイクロニードルを皮膚の角質層に穿孔し、これにより前記溶解液で溶解された前記薬物を前記マイクロニードルを介して経皮投与することを特徴とする経皮薬物投与方法。
【発明の詳細な説明】
【技術分野】
【０００１】
本発明は皮膚を介して薬物を投与するための経皮薬物投与装置に係り、特に皮膚を穿孔可能な複数のマイクロニードルを備えたマイクロニードル付き経皮薬物投与装置に関するものである。
【背景技術】
【０００２】
従来から薬物を含有した貼付剤を皮膚に貼り、この貼付剤から薬物を皮膚に浸透させることにより薬物を投与する方法が一般的に行われている。一方、皮膚や粘膜に対して薬物の吸収を促進する方法として、イオントフォレーシス（Ｊｏｕｒｎａｌ  ｏｆ  Ｐｈａｒｍａｃｅｕｔｉｃａｌ  Ｓｃｉｅｎｃｅｓ，７６巻，３４１ページ，１９８７年）やエレクトロポレーション（特表平３−５０２４１６、Ｐｒｏｃ．Ｎａｔｌ．Ａｃａｄ．Ｓｃｉ．ＵＳＡ，９０巻，１０５０４−１０５０８ページ，１９９３年）等のように電気的なエネルギーを用いた投与方法が開発されている。イオントフォレーシスおよびエレクトロポレーションは、ともに経皮または経粘膜により薬物の吸収を促進する方法として、その利用が期待されている。【０００３】
薬物吸収の促進に関連して、特表２０００−５１２５２９号公報（特許文献１）には、経皮医薬品の放出前に皮膚に機械的に孔をあけることにより経皮流動を高めるための装置が提案されている。この装置は、複数個の開口部を有しているシートと、それと一体であるとともにそれから下方に延在している複数個のマイクロブレードと、前記装置を体表面に係留するための手段とを有している。この場合、医薬品溜めの製剤形態は例えば粘性のあるゲルである。【０００４】
この種の装置において、乾燥形態の薬物を保持可能なものとして、例えば特公平６−１４９８０号公報（特許文献２）に記載の、皮膚針を有するタンパク及びペプチド性薬物の経皮投与器具がある。この器具は、外部へ通じる電極と、高分子電解質貯蔵槽と、親水性高分子薬物支持体と、水膨潤性高分子皮膚針支持体とが積層されており、前記高分子電解質貯蔵槽の上端中央部には溶媒注入口が形成されている。この溶媒注入口は、注射器等を使って前記高分子電解質貯蔵槽内部にイオン化溶媒組成物を投入できるように、例えばＶ溝形態のゴム等で形成されている。この器具を使用する場合、溶媒組成物投入用に別途注射器等を用意する必要がある。【０００５】
乾燥形態の薬物を保持可能で且つ注射器等が不要な装置としては、例えばＷＯ ０３／０８４５９５ Ａ１（特許文献３）に記載のバルブ付き経皮送達装置がある。この装置は、例えば蒸留水を保持できる溜めと、この溜めを開閉するバルブと、乾燥薬物を保持できる空洞と、皮膚を貫通することができる複数の微小皮膚貫通部材とを備える。この装置は用時に患者の皮膚に配置され、皮膚に前記微小皮膚貫通部材が貫通できるように下側に押され、そして前記バルブを開いて前記溜めを押圧することにより前記蒸留水を前記乾燥薬物に供給し、これにより薬物を患者に送達するものである。【０００６】
一方、特公平５−８４１８０号公報（特許文献４）には、イオントフォレーシス用の新規プラスター構造体が示されているが、上記のような皮膚針は備えていない。この構造体は、例えば、電解質溶液を封入したカプセルをプラスター構造体の上部に設けておき、このカプセルと水含有層とのあいだに配したアルミ箔等の薄膜を貼着時に破壊して電解液を含浸させる構造を有する。そして水分解性の薬物を用いる場合には、薬物含有層と水含有層を乾燥状態に調整しておき、電解質溶液を封入したカプセルを具備したプラスター構造体として需要に供するのが良いとされている。
【特許文献１】特表２０００−５１２５２９号公報
【特許文献２】特公平６−１４９８０号公報
【特許文献３】ＷＯ ０３／０８４５９５ Ａ１
【特許文献４】特公平５−８４１８０号公報
【発明の開示】
【発明が解決しようとする課題】
【０００７】
上述のように、従来、皮膚針を有する経皮薬物投与装置において乾燥形態の薬物を保持する場合、前記薬物に液体を供給するために別途注射器等を用意したり、または装置中に液体供給用のバルブを設けたりする必要があった。別途注射器等を用意することは装置の使用上煩雑であり患者自身が操作することが困難な場合もある。また装置中に液体供給用のバルブを設けることは装置を複雑にしコストも高くなる。【０００８】
従って本発明の目的は、生理活性物質（薬物）の経皮投与時に簡易な操作で皮膚（角質層）を穿孔することができるマイクロニードル付き経皮薬物投与装置を提供することにある。
【課題を解決するための手段】
【０００９】
上記目的は、皮膚を穿孔可能な複数のマイクロニードルおよび少なくとも１つの溶液通路を有するマイクロニードル基板を備えたマイクロニードルデバイスと、前記マイクロニードルデバイス上に配置されたパッド部と、前記パッド部上に配置され薬物溶解用の溶解液を収納した溶解液溜めとを備え、前記パッド部またはマイクロニードルデバイスに乾燥薬物を配置し、前記溶解液溜めの押圧により、前記溶解液溜めが開封され前記溶解液が前記パッド部へ供給されるとともに前記マイクロニードルが皮膚の角質層を穿孔し、これにより前記溶解液で溶解された前記薬物が経皮吸収されるようにしたマイクロニードル付き経皮薬物投与装置により、達成される。ここで、外部から電気的エネルギーを供給するための電極を前記パッド部上に備えることができる。また、外部から音波振動エネルギーを供給するための音波振動子を前記パッド部上に備えることができる。前記マイクロニードルデバイスは、前記マイクロニードル基板上に少なくとも１つの溶液通路を有する板状補強材を備えることができる。また、前記パッド部は、前記乾燥薬物を含有する薬物保持材と、前記溶解液を吸収する吸収材とを備えることができる。【００１０】
また本発明に係るマイクロニードル付き経皮薬物投与装置は、皮膚を穿孔可能な複数のマイクロニードルおよび少なくとも１つの溶液通路を有するマイクロニードル基板を備えたマイクロニードルデバイスと、前記マイクロニードルデバイス上に配置され乾燥薬物を含有するとともに液体を吸収できる材料で構成された吸収材と、前記吸収材上に配置され前記薬物を溶解する溶解液を収納し押圧により前記吸収材との間に設けられた隔膜を破壊可能な溶解液溜めとを備えたものである。
また本発明に係るマイクロニードル付き経皮薬物投与装置は、皮膚を穿孔可能な複数のマイクロニードルおよび少なくとも１つの溶液通路を有するマイクロニードル基板を備えたマイクロニードルデバイスと、前記マイクロニードルデバイス上に配置され乾燥薬物を含有する薬物保持材と、前記薬物保持材上に配置され液体を吸収できる材料で構成された吸収材と、前記吸収材上に配置され前記薬物を溶解する溶解液を収納し押圧により前記吸収材との間に設けられた隔膜を破壊可能な溶解液溜めとを備えたものである。【００１１】
ここで、外部から電気的エネルギーを供給するための電極を前記吸収材上に備えることができる。これにより、電気的薬物投与システム用の装置、例えばイオントフォレーシスシステム用の装置（イオントフォレーシス電極構造体）として用いることができる。また、外部から音波振動エネルギーを供給するための音波振動子を前記吸収材上に備えることができる。この場合、前記複数のマイクロニードルは、その長手方向に前記薬物を伝達可能な中空通路を有し、前記マイクロニードルの中空通路と前記マイクロニードル基板の溶液通路が連結されるようにすることができる。さらに、前記マイクロニードルデバイスの外側に皮膚を伸長するための皮膚固定部を備えることができる。【００１２】
また本発明に係るマイクロニードル付き経皮薬物投与装置は、皮膚を穿孔可能な複数のマイクロニードルを有するマイクロニードル基板を備えたマイクロニードルデバイスと、前記マイクロニードルデバイス上に配置され薬物溶解用の溶解液を収納した溶解液溜めとを備え、前記マイクロニードルデバイスに乾燥薬物を配置し、前記溶解液溜めの押圧により、前記溶解液溜めが開封され前記溶解液が前記マイクロニードルデバイスへ供給されるとともに前記マイクロニードルが皮膚の角質層を穿孔し、これにより前記溶解液で溶解された前記薬物が経皮吸収されるようにしたマイクロニードル付き経皮薬物投与装置である。ここで、前記溶解液は、前記マイクロニードル基板に形成された少なくとも１つの溶液通路を介して前記マイクロニードルに供給することができる。また、前記溶解液は、前記マイクロニードル基板の周りから前記マイクロニードルに供給することができる。さらに、前記マイクロニードルデバイスと前記溶解液溜めの間であって、少なくとも前記溶解液溜めが開封される部分に、液体を吸収できる材料で構成された吸収材を設けることができる。【００１３】
本発明に係る経皮薬物投与方法は、皮膚を穿孔可能な複数のマイクロニードルを有するマイクロニードルデバイスと、前記マイクロニードルデバイス上に配置されたパッド部と、前記パッド部上に配置され薬物溶解用の溶解液を収納した溶解液溜めと、前記パッド部またはマイクロニードルデバイスに配置された薬物とを備えた装置を皮膚に当て、前記溶解液溜めの押圧により、前記溶解液溜めを開封して前記溶解液を前記パッド部へ供給するとともに前記マイクロニードルを皮膚の角質層に穿孔し、これにより前記溶解液で溶解された前記薬物を前記マイクロニードルを介して経皮投与するものである。【００１４】
また、本発明に係る経皮薬物投与方法は、皮膚を穿孔可能な複数のマイクロニードルを有するマイクロニードルデバイスと、前記マイクロニードルデバイス上に配置され薬物溶解用の溶解液を収納した溶解液溜めと、前記マイクロニードルデバイスに配置された薬物とを備えた装置を皮膚に当て、前記溶解液溜めの押圧により、前記溶解液溜めを開封して前記溶解液を前記マイクロニードルへ供給するとともに前記マイクロニードルを皮膚の角質層に穿孔し、これにより前記溶解液で溶解された前記薬物を前記マイクロニードルを介して経皮投与するものである。【００１５】
本発明では、用時に、まず本装置を皮膚に装着し、複数のマイクロニードルを皮膚の角質面に当接する。そして、溶解液を内包する密封された溶解液溜め（容器）を押圧することによって前記溶解液溜めを開封する。これにより、前記溶解液はパッド部または吸収材を介して、あるいは直接マイクロニードルデバイスに流入し、生理活性物質（薬物）が溶解液に溶解するとともに、前記溶解液溜めを押圧した際に前記マイクロニードルが角質層を穿孔し、溶解液に溶解した薬物が穿孔された孔を通って経皮吸収される。その後、必要に応じて、薬物の経皮吸収を促進させるためのエネルギーが付加される。
【発明の効果】
【００１６】
本発明によれば、生理活性物質（薬物）の経皮投与時に簡易な操作で皮膚（角質層）を穿孔することができるマイクロニードル付き経皮薬物投与装置を提供することができる。生理活性物質の経皮投与時にマイクロニードルを用いて皮膚（角質層）を穿孔することにより、生理活性物質の経皮投与（受動拡散）またはイオントフォレーシス投与による治療効果を高めることができる。
【図面の簡単な説明】
【００１７】
【図１】本発明に係るマイクロニードル付き経皮薬物投与装置の一例を示す概念図である。
【図２】本発明に係るマイクロニードル付き経皮薬物投与装置の一実施例を示す図で、（ａ）は平面図、（ｂ）は（ａ）のＸ−Ｘ断面図、（ｃ）および（ｄ）は本装置適用時の図である。
【図３】本発明に係るマイクロニードル付き経皮薬物投与装置の他の実施例を示す図で、（ａ）は平面図、（ｂ）は（ａ）のＸ−Ｘ断面図、（ｃ）および（ｄ）は本装置適用時の図である。
【図４】本発明に係るマイクロニードル付き経皮薬物投与装置の他の実施例を示す図である。
【図５】本発明に係るマイクロニードル付き経皮薬物投与装置の他の実施例を示す図である。
【図６】本発明に係るマイクロニードル付き経皮薬物投与装置に用いるマイクロニードルデバイスの構成例を示す図で、（ａ）は全体図、（ｂ）は（ａ）の点線で囲まれた部分の拡大図、（ｃ）はマイクロニードルデバイスの変形例を示す一部拡大図である。
【図７】本発明に係るマイクロニードル付き経皮薬物投与装置の他の実施例を示す図である。
【図８】本発明に係るマイクロニードル付き経皮薬物投与装置の他の実施例を示す図である。
【図９】本発明に係るマイクロニードル付き経皮薬物投与装置の他の実施例を示す図である。
【図１０】本発明に係るマイクロニードル付き経皮薬物投与装置の他の実施例を示す図である。
【図１１】本発明に係るマイクロニードル付き経皮薬物投与装置の他の実施例を示す図である。
【符号の説明】
【００１８】
１０  薬物
１１  乾燥薬物を含有する吸収材
１２  粘着層
１３  壁材
１４  開口
１５  支持体
１６  溶解液
１７  突起部
１８  溶解液溜め
１９  ライナー
２０  隔膜
２５  電極
２６、６１  リード部
３１  薬物を含有しない吸収材
３２  薬物保持材
４１  パッド部
５０  マイクロニードルデバイス
５１、５６  マイクロニードル
５２  溶液通路
５３  マイクロニードル基板
５４  皮膚
５５  押圧方向
５７  中空通路
５８  皮膚固定部
５９  板状補強材
６０  音波振動子
【発明を実施するための最良の形態】
【００１９】
図１は、本発明に係るマイクロニードル付き経皮薬物投与装置の一例を示す概念図である。本装置は、図示のように、皮膚を穿孔可能な複数のマイクロニードル５１および少なくとも１つの溶液通路５２を有するマイクロニードル基板５３を備えたマイクロニードルデバイス５０と、マイクロニードルデバイス５０上に配置され乾燥薬物を含有するパッド部４１と、パッド部４１上に配置され薬物溶解用の溶解液１６を収納し押圧により開封可能な溶解液溜め１８とを備える。パッド部４１は、本例のように、液体を吸収できる材料で構成された吸収材１１と薬物１０とを備えることができる。薬物１０の配置はこれに限定されない。後述のように薬物保持材またはマイクロニードルデバイスに設けることもできる。吸収材１１の周囲には下面に粘着層１２を有する壁材１３が配置され、吸収材１１および壁材１３上には開口１４を有する支持体１５が配置され、支持体１５上には隔膜２０が配置される。隔膜２０は溶解液溜め１８と別個に形成してもよいし、一体的に形成してもよい。溶解液溜め１８は隔膜２０の破壊を容易とするために突起部１７を有する。【００２０】
用時に、本装置を皮膚に装着してマイクロニードル５１を皮膚の角質面に当接する。そして溶解液溜め１８を押圧することにより突起部１７で隔膜２０を破壊する。これにより、溶解液溜め１８が開封されるとともに上記押圧によりマイクロニードル５１が皮膚の角質層を穿孔し、溶解液１６で溶解された薬物が経皮吸収される。【００２１】
本装置のパッド部４１上に電極およびそのリード部を設け、これにより本装置を電気的薬物投与システム用の装置、例えばイオントフォレーシスシステム用の装置（イオントフォレーシス電極構造体）として用いることができる。本装置を通常の貼付剤として用いる場合はこの電極等は不要である。また、本装置では、パッド部４１は、液体を吸収できる材料で構成された吸収材と薬物を含有する薬物保持材とを別個に備えることができる。また、薬物はパッド部４１ではなく、マイクロニードルデバイス５０に配置することもできる。この場合、薬物はマイクロニードル５１の外側または中空通路内、あるいはマイクロニードル基板５３上またはその溶液通路５２内に配置することができる。以下、本発明の実施例を詳細に説明する。【００２２】
図２は本発明に係るマイクロニードル付き経皮薬物投与装置の一実施例を示す図で、（ａ）は平面図、（ｂ）は（ａ）のＸ−Ｘ断面図、（ｃ）および（ｄ）は本装置適用時の図である。本実施例の装置は、例えば通常の貼付剤として用いることができ、図２（ａ）、（ｂ）に示すように、皮膚を穿孔可能な複数のマイクロニードル５１および複数の溶液通路５２を有するマイクロニードル基板５３を備えたマイクロニードルデバイス５０と、マイクロニードルデバイス５０上に配置され、乾燥した薬物１０を含有するとともに液体を吸収できる材料で構成された吸収材１１と、吸収材１１の周囲に配置され下面に粘着層１２を有する壁材１３と、吸収材１１および壁材１３上に配置され中央部に開口１４を有する支持体１５と、支持体１５上に配置された隔膜２０と、隔膜２０上に配置され薬物を溶解する溶解液１６を隔膜２０との間に保持し押圧により隔膜２０を破壊するための突起部１７を有する溶解液溜め１８とを備える。突起部１７は、例えば、図示のように線状の先端部を有しており、隔膜２０に接触または近接して配置される。マイクロニードルデバイス５０および粘着層１２の下側にはライナー１９が取り外し可能に取り付けられている。ここで、溶解液溜め１８と隔膜２０は別個に形成してもよいし、一体的に形成してもよい。また、支持体の開口１４の形状は特に限定されないが、吸収材１１に溶液をまんべんなく供給できる形状であればよく、例えば円形状であることが好ましい。この場合、開口１４の寸法は吸収材１１の大きさにもよるが、例えば直径２ｍｍ〜１０ｍｍであり、好ましくは４ｍｍ〜８ｍｍである。なお、支持体１５を省略して隔膜２０にその機能を兼用させることもできる。この場合は予め開口は設けず、用時に突起部により開口が形成されることになる。また、隔膜２０は溶解液溜め１８の一部として形成することもできる。【００２３】
用時には、図２（ｃ）に示すように、ライナー１９を取り外し、本装置（貼付剤）を皮膚５４に貼る。そして、溶解液溜め１８の上面を矢印５５の方向に押圧して、突起部１７で隔膜２０を破る。この際、隔膜２０は突起部１７の線状の先端部に沿って大きく破れ、溶解液溜め１８中の溶解液１６が支持体１５の開口１４を介して吸収材１１に流れる。この溶解液１６により、吸収材１１が湿潤状態となり薬物１０がまんべんなく活性化される。この溶解液溜め１８の押圧により同時に装置全体が皮膚側に押され、マイクロニードル５１が皮膚（角質層）を穿孔する。これにより、活性化された薬物がマイクロニードル基板５３の溶液通路５２およびマイクロニードル５１を介して皮膚に浸透する。溶解液１６が流れた後は溶解液溜め１８は空になり、図２（ｄ）に示すようにほぼ元の形状に復元する。【００２４】
マイクロニードル基板５３は、溶解液溜め１８の押圧時に破損しない強度を有するように構成される。マイクロニードル基板５３の厚みは、その材料がシリコンまたは金属材料の場合は約０．１〜３ｍｍ、より好ましくは０．５〜２ｍｍであり、ポリマー材料等では補強材との積層構造の基板として約０．１〜３ｍｍ、より好ましくは０．５〜２ｍｍである。このように、本発明では、溶解液溜めの押圧により、溶解液の移動と皮膚穿刺を同時に行う、即ち押圧力をそのまま穿刺力として伝えることができる。マイクロニードル穿刺圧は、溶解液溜め１８の突起部１７による隔膜２０の破断力を変えることで調整することができる。具体的には、溶解液溜めを押して破るときの力は、例えば、３００ｇ〜３ｋｇ／ｐａｔｃｈの範囲、好ましくは、５００〜２ｋｇ／ｐａｔｃｈ、より好ましくは７００〜１．５ｋｇ／ｐａｔｃｈの範囲が妥当である。これは、ニードル製剤（マイクロニードル基板）の面積が１〜４ｃｍ２程度で５秒間溶解液溜めを押圧することを想定した場合の値である。このように、本発明では、溶解液溜めの押圧により、溶解液溜めと吸収材間に設けられた隔膜が破壊されるとともにマイクロニードルが皮膚（角質層）を穿孔し、これにより溶解液で溶解された薬物がマイクロニードルデバイスを介して効率よく皮膚に伝達される。【００２５】
図３は本発明に係るマイクロニードル付き経皮薬物投与装置の他の実施例を示す図で、（ａ）は平面図、（ｂ）は（ａ）のＸ−Ｘ断面図、（ｃ）および（ｄ）は本装置適用時の図である。図３において図２と同じ符号は図２と同じものを示す。本実施例が図２の実施例と異なるところは、外部から電気的エネルギーを供給するための電極２５を吸収材１１上に備えた点である。電極２５にはリード部２６が接続されている。これにより本実施例の装置は、電気的薬物投与システム用の装置、例えばイオントフォレーシスシステム用の装置（イオントフォレーシス電極構造体）として用いることができる。その他は図２の実施例と同様である。【００２６】
電極２５およびリード部２６は、例えば支持体１５下面に印刷することにより作製される。電極２５はリード部２６を介して図示しない電源装置の一方の出力端子（例えば＋極）に接続される。電源装置の他方の出力端子（例えば−極）は、図示しないカウンター装置に接続される。カウンター装置は本経皮薬物投与装置と同様の構成にすることができるが、薬物は必ずしも含む必要はない。電源装置からはイオントフォレーシス用の電圧または電流が本経皮薬物投与装置およびカウンター装置間に付与される。【００２７】
用時には、ライナー１９を取り外し、本装置（イオントフォレーシス電極構造体）を皮膚５４に貼る。そして、図３（ｃ）に示すように、まず、溶解液溜め１８の上面を矢印５５の方向に押圧して、突起部１７で隔膜２０を破る。この際、隔膜２０は突起部１７の線状の先端部に沿って大きく破れ、溶解液溜め１８中の溶解液が支持体１５の開口１４を介して吸収材１１に流れる。この溶解液により、吸収材１１が湿潤状態となり薬物１０がまんべんなく活性化される。この溶解液溜め１８の押圧により同時に装置全体が皮膚側に押され、マイクロニードル５１が皮膚（角質層）を穿孔する。そして図示しない電源装置をオンにしてイオントフォレーシスシステムを作動させる。これにより、活性化された薬物がマイクロニードル基板５３の溶液通路５２およびマイクロニードル５１を介して皮膚に浸透する。溶解液１６が流れた後は溶解液溜め１８は空になり、図３（ｄ）に示すようにほぼ元の形状に復元する。このように、本発明では、溶解液溜めの押圧により、溶解液溜めと吸収材間に設けられた隔膜が破壊されるとともにマイクロニードルが皮膚（角質層）を穿孔し、これにより溶解液で溶解された薬物がマイクロニードルデバイスを介して効率よく皮膚に伝達される。【００２８】
図４は、本発明に係るマイクロニードル付き経皮薬物投与装置の他の実施例を示す図である。本実施例の装置は、図２の薬物を含有する吸収材１１を、薬物を含有しない吸収材３１と薬物を含有する薬物保持材３２の２つに分けたものであり、その他は図２のものと同様である。吸収材３１と薬物保持材３２を分けた理由は、薬物を生体に高濃度で接触させることで、薬剤の吸収を最大限に発揮するためである。【００２９】
図５は、本発明に係るマイクロニードル付き経皮薬物投与装置の他の実施例を示す図である。図５において図３〜図４と同じ符号は図３〜図４と同じものを示す。本実施例が図４の実施例と異なるところは、外部から電気的エネルギーを供給するための電極２５を吸収材１１上に備えた点である。電極２５にはリード部２６が接続されている。これにより本実施例の装置は、電気的薬物投与システム、例えばイオントフォレーシスシステム用装置（イオントフォレーシス電極構造体）として用いることができる。その他は図３〜図４の実施例と同様である。【００３０】
図６は、本発明に係るマイクロニードル付き経皮薬物投与装置に用いるマイクロニードルデバイスの構成例を示す図で、（ａ）は全体図、（ｂ）は（ａ）の点線で囲まれた部分の拡大図、（ｃ）はマイクロニードルデバイスの変形例を示す一部拡大図である。図６（ａ）に示すとおり、マイクロニードルデバイス５０は、皮膚を穿孔可能な複数のマイクロニードル５１および複数の溶液通路５２を有するマイクロニードル基板５３を備える。溶解された薬物１０は、同図（ｂ）に示すように、溶解液とともに溶液通路５２を介してマイクロニードル５１に沿って皮膚へと流れる。また、同図（ｃ）に示すように、マイクロニードル５６の長手方向に薬物を伝達可能な中空通路５７を形成し、マイクロニードル基板の溶液通路５２とマイクロニードルの中空通路５７とを連結してもよい。【００３１】
図７は、本発明に係るマイクロニードル付き経皮薬物投与装置の他の実施例を示す図である。本実施例の装置は、図１のマイクロニードルデバイス５０の外側に、マイクロニードル穿刺部分の皮膚を伸長するための皮膚固定部５８を設け、さらにマイクロニードルデバイス５０に少なくとも１つの溶液通路を有する板状補強材５９を設けたものであるが、その他は図１のものと同様である。皮膚固定部５８の高さは、マイクロニードルデバイス５０の厚みよりも大きくすることが好ましい。また、皮膚固定部５８は、マイクロニードルデバイス５０の外側の粘着層１２に設けることができるが、これに限定されない。その形状はリング状、例えばＯ−リングとすることができるが、これに限定されず、リングの一部を用いることでもよいし、リング状でなくともよい。マイクロニードルデバイス５０の板状補強材５９は、例えばマイクロニードル基板５３上に配置される。これはマイクロニードル基板５３が破損するといけないので、これを補強するために設けられる。本実施例によれば、皮膚固定部５８により皮膚が伸長されるのでマイクロニードル５１が皮膚に穿孔しやすくなり、また板状補強材５９によりマイクロニードルデバイス５０を強固にすることができるという利点がある。本実施例では、図１の装置に皮膚固定部５８と板状補強材５９の両方を設けた例を示したが、これらの一方だけを設けてもよい。また、図２〜図５の装置にも同様に皮膚固定部５８や板状補強材５９を設けることができる。【００３２】
図８は、本発明に係るマイクロニードル付き経皮薬物投与装置の他の実施例を示す図である。本実施例の装置は、図１のパッド部４１上に、外部から音波振動エネルギーを供給するための音波振動子６０と、音波振動子６０に接続された外部電源接続用のリード部６１とを備えたものである。音波振動子６０は例えばドーナツ形で、支持体１５の開口１４を取り囲むように配置される。音波振動子６０は例えば、セラミックス等の材質で構成され、その振動周波数は１ＫＨｚ〜５ＭＨｚ、その強度は〜３．０ｍＷ／ｃｍ２である。音波振動子６０は薬物１０の拡散をうながすために有効である。【００３３】
図９は、本発明に係るマイクロニードル付き経皮薬物投与装置の他の実施例を示す図である。本実施例の装置は、皮膚を穿孔可能な複数のマイクロニードル５１を有するマイクロニードル基板５３を備えたマイクロニードルデバイス５０と、マイクロニードルデバイス５０上に配置され薬物溶解用の溶解液１６を収納した溶解液溜め１８とを備える。本実施例では、マイクロニードル基板５３に少なくとも１つの溶液通路５２が形成されている。マイクロニードルデバイス５０には乾燥薬物が配置される。具体的には、乾燥薬物は、例えば、マイクロニードル基板５３の上面、下面、および溶液通路５２の少なくとも１つに配置される。乾燥薬物は、マイクロニードル基板５３の下面に配置する場合、マイクロニードル５１に配置してもよい。使用時には、ライナー１９を外し、装置を皮膚に当て、溶解液溜め１８の突起部１７を押圧することにより、隔膜２０が破壊され溶解液溜め１８が開封されて、支持体１５に形成された開口１４を介して、溶解液１６がマイクロニードルデバイス５０へ供給される。これにより、溶解液１６が、マイクロニードル基板５３に形成された溶液通路５２を介してマイクロニードル５１に供給される。それとともにマイクロニードル５１が皮膚の角質層を穿孔し、これにより溶解液で溶解された薬物が経皮吸収される。なお、本図では、使用前にライナー１９を支持体１５に保持しておくための粘着層、およびマイクロニードルデバイス５０に配置される薬物の図示を簡略化のため省略している。【００３４】
図１０は、本発明に係るマイクロニードル付き経皮薬物投与装置の他の実施例を示す図である。本実施例の装置は、マイクロニードル基板５３に溶液通路が形成されていない点で図９の実施例と異なるが、その他の点では図９の実施例と同様である。すなわち、本実施例では、使用時には、ライナー１９を外し、装置を皮膚に当て、溶解液溜め１８の突起部１７を押圧することにより、隔膜２０が破壊され溶解液溜め１８が開封されて、支持体１５に形成された開口１４を介して、溶解液１６がマイクロニードルデバイス５０へ供給される。このとき、溶解液１６は、開口１４に対向するマイクロニードル基板５３上に滲みていきマイクロニードル基板５３の周りからマイクロニードル５１に供給される。それとともにマイクロニードル５１が皮膚の角質層を穿孔し、これにより溶解液で溶解された薬物が経皮吸収される。本実施例のマイクロニードル基板５３は、図９の実施例のような溶液通路５２を形成していないので、構成が簡単で作製が容易であるという利点がある。但し、溶解液１６がマイクロニードル基板５３の周りからマイクロニードル５１に流れ易くするために、マイクロニードル基板５３の上面および下面の少なくとも一方に、溶解液を通すための溝を形成してもよい。また、溶解液溜め１８とマイクロニードル基板５３との間は密着することなく、溶解液１６が滲み易くなるように所定の間隔を形成するようにしてもよい。【００３５】
図１１は、本発明に係るマイクロニードル付き経皮薬物投与装置の他の実施例を示す図である。本実施例の装置は、マイクロニードルデバイス５０と溶解液溜め１８の間であって、少なくとも溶解液溜め１８が開封される部分に、液体を吸収できる材料で構成された吸収材１１が壁材１３に囲まれて設けられている点で図９の実施例と異なるが、その他の点では図９の実施例と同様である。すなわち、本実施例では、使用時には、ライナー１９を外し、装置を皮膚に当て、溶解液溜め１８の突起部１７を押圧することにより、隔膜２０が破壊され溶解液溜め１８が開封されて、溶解液１６が支持体１５に形成された開口１４、およびそれに対応する部分に設けられた吸収材１１を介して、マイクロニードルデバイス５０へ供給される。これにより、溶解液１６が、マイクロニードル基板５３に形成された溶液通路５２を介してマイクロニードル５１に供給される。それとともにマイクロニードル５１が皮膚の角質層を穿孔し、これにより溶解液で溶解された薬物が経皮吸収される。本実施例では、図９の実施例と同様に、マイクロニードル基板５３として溶液通路５２が形成されたものを用いたが、これに限定されず、例えば、図１０の実施例と同様に、マイクロニードル基板５３に溶液通路が形成されていないものを用いることもできる。この場合、溶解液１６は、上述のとおり、マイクロニードル基板５３の周りからマイクロニードル５１に供給される。【００３６】
図９〜図１１に示した実施例においても、図示はしないが、外部から電気的エネルギーを供給するための電極をマイクロニードルデバイス上または吸収材上に備えることができる。これにより、電気的薬物投与システム用の装置、例えばイオントフォレーシスシステム用の装置（イオントフォレーシス電極構造体）として用いることができる。また、外部から音波振動エネルギーを供給するための音波振動子をマイクロニードルデバイス上または吸収材上に備えることができる。また、複数のマイクロニードルは、その長手方向に薬物を伝達可能な中空通路を有し、マイクロニードルの中空通路とマイクロニードル基板の溶液通路が連結されるようにすることができる。さらに、マイクロニードルデバイスの外側に皮膚を伸長するための皮膚固定部を備えることができる。【００３７】
本発明に係るマイクロニードル付き経皮薬物投与装置では各部において次のものを使用することができる。
生理活性物質（薬物）としては、治療目的に応じた薬物を各種選択することができ、例えば、薬理活性を有する化合物であれば薬剤の種類及び塩の種類、各薬剤の適応等には特に制限されず、例えば、抗生物質、抗真菌剤、抗腫瘍剤、強心剤、不整脈治療剤、血管拡張剤、降圧剤、利尿剤、降圧利尿剤、循環器用剤、抗血小板薬、止血剤、抗高脂血症剤、解熱・鎮痛・消炎剤、抗リウマチ、弛緩剤、鎮咳去たん剤、抗潰瘍剤、鎮静剤、抗てんかん剤、抗うつ剤、抗アレルギー剤、糖尿病治療剤、抗結核剤、ホルモン剤、麻薬拮抗剤、骨吸収抑制剤、血管新生阻害剤，局所麻酔剤などが用いられる。
イオントフォレーシスシステムで用いる装置の場合、薬物としては、治療目的に応じた薬物を上述のように各種選択することができるが、イオントフォレーシスを用いた薬物投与に際して、薬物投与量の許容精度が厳しい薬物に対して特に有用である。例えば、インシュリンなどのように有効血中濃度と副作用発現濃度の幅が狭い薬物に対して本装置は安全に使用できる。また、その他の有効血中濃度と副作用発現濃度の幅が比較的広い薬物においても、電気的な誤差要因を極力抑制することは薬物の高い安全性および有効性を得るために重要である。
また、薬物に加え、薬物の溶解速度調節剤、安定化のための添加剤、吸着防止剤等を加えることができる。ｐＨ調節剤、吸収促進剤は、適宜乾燥状態で保持される。【００３８】
吸収材としては、液体を良好に吸収できる材料が選択され、例えば、ポリエステル（ポリエチレンテレフタレート）、多糖類またはセルロース誘導体（レーヨン、綿）、ポリアミド（ナイロン）、不織布、織布、ガーゼ、またはスポンジなどの多孔質体、または、親水性高分子（寒天、アガロース、アルギン酸、キサンタンガム、グアーガム、デキストラン、デキストリン、プルラン、キトサン、ゼラチン、カルボキシビニルポリマー、ポリアクリル酸塩、カルボキシメチルセルロース塩、ポリオキシアルキレン、ポリビニルアルコール、ポリビニルピロリドン、ポリアクリルアミド）、イオン交換樹脂（ａｍｂｅｒｌｉｔｅ、ｄｉａｉｏｎ、コレスチラミン）等が挙げられるが、好ましくは、例えば、レーヨンを主体とする不織布である。
薬物保持材としては、例えば、親水性膜、または薬物透過可能な流路を形成したセラミックス、金属、ポリマー材料等の剛性材料等を用いることができる。また、多孔質膜またはイオン交換膜に薬物を含有させたものを用いることができる。多孔質膜としては、例えば、ＰＥ、ＰＰ、セルロース、セルロースアセテート、ＰＥＴ、ナイロン等が挙げられる。イオン交換膜としては、例えば、陽イオン交換膜、陰イオン交換膜、複合荷電膜等が挙げられるが、好ましくは、ナイロン系の陽イオン交換膜である。【００３９】
壁材としては、非透水性の材料が選択され、例えば、発泡ポリオレフィン（ＰＥ、ＰＰなど）、発泡ポリウレタン、発泡ポリスチレン、発泡ゴム（ポリブチレンなど）、発泡ＥＶＡ、発泡ＰＶＣ等が挙げられるが、好ましくは、例えば、発泡ポリオレフィンである。
粘着層としては、例えば、天然ゴム、スチレン−イソプレン−スチレンブロック共重合体、スチレン−ブタジエンゴム、スチレン−イソプレンゴム、ポリイソブチレン、ポリイソプレン、ポリアクリレート、シリコンゴム等が挙げられるが、好ましくは、例えば、ポリアクリレートである。
支持体としては、非透水性の材料が選択され、例えば、ポリオレフィン、ポリウレタン、ポリスチレン、ゴム、ＥＶＡ、ＰＶＣ、ＰＥＴ等が挙げられる。【００４０】
溶解液溜めとしては、例えば、ＰＥＴ、ＰＶＣ、ＰＶＤＣ、ＰＰ、ＰＥ、ポリスチレン、環状ポリオレフィン（ＣＯＣ）、Ａｌ、及びこれらの積層体よりなるシート材をドーム状に成型し、その内部に凸状の突起部を形成した成型シート、または、バリアー性の高いシート（ＰＣＴＦＥ／ＰＰ系、ＰＣＴＦＥ／ＰＶＣ系、環状ポリオレフィン／ＰＰ系）、Ａｌ蒸着やＳｉＯ２蒸着シート等が挙げられる。溶解液溜めは、凸状の突起部を押圧することにより、隔膜または隔膜と支持体の積層体の少なくとも１ヶ所が破壊される。凸状の突起部は、円錐状では破壊される部分が点になり、溶解液の吸収材側への浸透が悪くなる。凸状の突き破り部分（突起部の先端部）は線状または面状であることが好ましい。材料はＰＣＴＦＥ（−ＣＦ２−ＣＦＣｌ−）ｎポリ（クロロ−トリフルオロエチレン）、ＣＯＣ環状ポリオレフィン共重合体でもよい。シートの厚みは例えば１００〜５００μｍとされる。溶解液溜めは、好ましくは、例えば、ＰＰ、ＰＰ／ＣＯＣ／ＰＰ、ＰＣＴＦＥ／ＰＰ系が用いられる。
隔膜（突起部で破られる膜）としては、例えば、Ａｌ、ＰＰ、ＰＥ及びこれらの積層体が挙げられる。Ａｌ箔は、必要に応じ腐食を防止するためのコーティング等を施すことが好ましい。隔膜の厚みは、例えば、Ａｌでは５〜１００μｍ、ＰＰやＰＥでは１５〜５０μｍとされる。【００４１】
溶解液としては、例えば、水、アルコール類、多価アルコール、界面、活性剤類、糖類、ｐＨ調節剤（有機および無機酸類・塩基類）、塩類、水溶性高分子、溶解剤、吸収促進剤、油脂類、保存剤等が挙げられるが、好ましくは、例えば、精製水、グリセリン、メチルパラベン、（プロピルパラベン、プロピレングリコール）等である。
ライナーとしては、例えば、ＰＥＴ、ＰＥＮ、ＰＰ、ＰＥ、紙、Ａｌ、これらの積層体等が挙げられるが、好ましくは、ＰＥＴである。また、シリコン処理などの離型性表面処理を行うことが好ましい。さらに、マイクロニードルと接触しないように、ライナーを凹状に加工することが好ましい。【００４２】
また、本発明では、図２および図３の実施例において、薬物を含有する吸収材の下面に溶液透過膜を備えることができる。溶液透過膜は、吸収材を保持するために有効であり、さらに粉末状の物質を含む際の保持手段としての役目もある。溶液透過膜としては、例えば、多孔質膜またはイオン交換膜を用いることができる。多孔質膜としては、例えば、ＰＥ、ＰＰ、セルロース、セルロースアセテート、ＰＥＴ、ナイロン等が挙げられる。イオン交換膜としては、例えば、陽イオン交換膜、陰イオン交換膜、複合荷電膜等が挙げられるが、好ましくは、ナイロン系の陽イオン交換膜である。但し、吸収材が不織布のときは溶液透過膜はなくてもよい。
【産業上の利用可能性】
【００４３】
本発明は皮膚を介して薬物を投与するための経皮薬物投与装置に係り、特に皮膚を穿孔可能な複数のマイクロニードルを備えたマイクロニードル付き経皮薬物投与装置に関するものであり、産業上の利用可能性がある。
【図１】
2006016647.tif 000002
【図２】
2006016647.tif 000003
【図３】
2006016647.tif 000004
【図４】
2006016647.tif 000005
【図５】
2006016647.tif 000006
【図６】
2006016647.tif 000007
【図７】
2006016647.tif 000008
【図８】
2006016647.tif 000009
【図９】
2006016647.tif 000010
【図１０】
2006016647.tif 000011
【図１１】
2006016647.tif 000012
【国際調査報告】
2006016647.tif 000013
2006016647.tif 000014
2006016647.tif 000015
2006016647.tif 000016
2006016647.tif 000017
2006016647.tif 000018